(57)【要約】【課題】  内蔵スピーカとイヤホンとを簡易な操作によって切り換えて最適な状態でハンズフリー通話を行うことを可能とする。【解決手段】  使用者に直接装着されることによって制御回路部（７）から出力された音声信号を変換して音声を出力するイヤホン（１８）を内蔵したイヤホン部（６）と、制御回路部（７）から供給される音声信号の供給経路を、内蔵スピーカ（１６）側とイヤホン部（６）とに切り換える切換スイッチ（１４）とを備える。【選択図】  図１
2007104123.tif 000002
【特許請求の範囲】
【請求項１】
携帯電話機と接続されて音声信号を授受する制御回路部と、音声を音声信号に変換して前記制御回路部に供給するマイクロホンと、前記制御回路部から出力された音声信号を変換して音声を出力する内蔵スピーカとを備え、携帯電話機を中継してハンズフリー通話を行うハンズフリー装置において、
使用者に直接装着されることによって前記制御回路部から出力された音声信号を変換して音声を出力するイヤホンを内蔵したイヤホン部と、
前記制御回路部から供給される音声信号の供給経路を、前記内部スピーカ側と前記イヤホン部側とに切り換える切換スイッチと
を備えることを特徴とするハンズフリー装置。
【請求項２】
前記切換スイッチが、装置本体に設けられた第１切換スイッチと、前記イヤホン部に設けられた第２切換スイッチとによって構成され、これら第１切換スイッチと第２切換スイッチとが互いに連動して動作することを特徴とする請求項１に記載のハンズフリー装置。
【発明の詳細な説明】
【技術分野】
【０００１】
本発明は、例えば自動車内で携帯電話機を把持せずに通話するハンズフリー通話を可能とするハンズフリー装置に関する。
【背景技術】
【０００２】
ハンズフリー装置は、一般に携帯電話機とブルートゥース無線方式等の無線方式或いは有線により接続されて音声信号を授受する中継回路部と、マイクロホンと、内蔵スピーカとを有しており、例えば自動車内に設置されることによって車の運転中でも携帯電話機を把持することなく相手方とのハンズフリー通話を行うことを可能とする。ハンズフリー装置は、道路交通法の改正によって運転中に携帯電話機を把持しての通話行為に対する罰則規定が強化されたことにより、いまや必須のアイテムとなった携帯電話機の付帯装置として極めて需要が大きい。
【０００３】
また、ハンズフリー装置においては、装置本体に接続端子機構が設けられており、この接続端子機構を介してマイクロホンやイヤホンを内蔵したヘッドセットが着脱自在に接続される（例えば、特許文献１等参照）。ハンズフリー装置においては、例えば高速道路の走行中や同乗者の話し声等による外部騒音が大きな場合に、使用者がヘッドセットを直接頭部に装着することによって外部騒音に邪魔されることなくハンズフリー通話を行うことが可能となる。
【特許文献１】特開２０００−２７８３９６号公報
【発明の開示】
【発明が解決しようとする課題】
【０００４】
ハンズフリー装置においては、ハンズフリー通話時に内蔵スピーカから放音される音声がマイクロホンによって拾われて相手方に送信されることによって通話品質を低下させるいわゆるエコー現象が生じる。ハンズフリー装置においては、ヘッドセットを用いることによってこのエコー現象を抑制して良好な通話を行うことが可能となる。
【０００５】
一方、ハンズフリー装置においては、ヘッドセットを装着した状態のまま比較的長い時間に亘って運転を行う場合に、ヘッドセットが煩わしくなるとともに装置本体とを接続するケーブルが邪魔になる。ハンズフリー装置においては、必要に応じて内蔵スピーカ及び内蔵マイクロホンとヘッドセットとを使い分けることが可能であることが好ましい。しかしながら、運転中の着信に対して素早くヘッドセットを装置本体に接続するとともに頭部に装着する操作を行うことは困難である。
【０００６】
ところで、従来のハンズフリー装置においては、接続端子機構を介して装置本体にヘッドセットを接続すると、内蔵スイッチによって中継回路部との音声信号経路が内蔵マイクロホンと内蔵スピーカとの経路からヘッドセット側へと自動的に切り換えが行われるように構成されていた。したがって、従来のハンズフリー装置においては、内蔵スピーカと内蔵マイクロホンとにより着信に対する相手方への応答操作を行った後に、ヘッドセットを装着してハンズフリー通話を行うといった態様で使用することができなかった。
【０００７】
したがって、本発明は、内蔵スピーカとイヤホンとを簡易な操作によって切り換えて最適な状態でハンズフリー通話を行うことを可能とするハンズフリーを提供することを目的に提案されたものである。
【課題を解決するための手段】
【０００８】
上述した目的を達成する本発明にかかるハンズフリー装置は、携帯電話機と接続されて音声信号を授受する制御回路部と、音声を音声信号に変換して制御回路部に供給するマイクロホンと、制御回路部から出力された音声信号を変換して音声を出力する内蔵スピーカとを備え、携帯電話機を中継してのハンズフリー通話を行うことを可能とする。ハンズフリー装置は、使用者に直接装着されることによって制御回路部から出力された音声信号を変換して音声を出力するイヤホンを内蔵したイヤホン部と、制御回路部から供給される音声信号の供給経路を、内蔵スピーカ側とイヤホン部側とに切り換える切換スイッチとを備える。
【０００９】
ハンズフリー装置によれば、切換スイッチにより音声信号の供給経路を内蔵スピーカ側とイヤホン部側とに適宜切り換えることが可能である。ハンズフリー装置によれば、例えば運転時に装置本体に対してイヤホン部を接続した状態のままで切換スイッチにより音声信号の供給経路を内蔵スピーカ側に設定しておくことによって、ケーブルが邪魔にならずに運転を行うことが可能であるとともに着信の呼出し音を内蔵スピーカで確認して相手方とのハンズフリー通話を行うことが可能となる。また、ハンズフリー装置によれば、例えば外部騒音が大きな場合やエコー現象により通話がしづらい場合等において、相手方にことわってイヤホン部を装着した後に切換スイッチを操作して音声信号の供給経路を内蔵スピーカ側からイヤホン部側へと切り換える操作が行われる。ハンズフリー装置によれば、これによって良好な状態でハンズフリー通話を行うことが可能となる。
【００１０】
また、ハンズフリー装置は、切換スイッチが、装置本体に設けられた第１切換スイッチと、イヤホン部に設けられた第２切換スイッチとによって構成され、これら第１切換スイッチと第２切換スイッチとが互いに連動して動作する。
【００１１】
ハンズフリー装置においては、装置本体が例えば車内のコンソールボックスやダッシュボード等の適宜の場所に設置されるが、イヤホン部を装着した状態のままでもいわゆる手元スイッチを構成する第２切換スイッチにより装置本体まで手を伸ばすことなく音声信号の供給経路を切り換える操作を行うことが可能となる。したがって、ハンズフリー装置においては、使用状況に応じて内蔵スピーカとイヤホンとを簡単に切り換えることが可能となり、使い勝手の向上が図られるようになる。
【発明の効果】
【００１２】
以上のように構成された本発明にかかるハンズフリー装置によれば、音声信号の供給経路を内蔵スピーカ側とイヤホン側とに切り換える切換スイッチを備えて内蔵スピーカとイヤホンとの切り換えを簡易な操作によって切り換えることが可能とする。したがって、本発明にかかるハンズフリー装置によれば、最適な状態でのハンズフリー通話を行うことが可能となるとともに使い勝手の向上も図られる。
【発明を実施するための最良の形態】
【００１３】
以下、本発明の実施の形態について図面を参照して詳細に説明する。実施の形態として示したハンズフリー装置１は、基本的な構成を一般的なハンズフリー装置と同等とし、例えば自動車内のダッシュボード上等の適宜の場所に設置される装置本体２と、コンソールボックス等に設置される詳細を省略するホルダ部３とを備える。ハンズフリー装置１は、装置本体２とホルダ部３とがケーブルを介しての有線接続或いはブルートゥース無線方式による無線接続によって接続される。ハンズフリー装置１は、ホルダ部３に携帯電話機４が装着されるとこの携帯電話機４と装置本体２との接続が行われ、携帯電話機２を把持することなく相手方と通話するハンズフリー通話を行うことを可能とする。
【００１４】
ハンズフリー装置１は、図１に示すように、装置本体２に所定の長さのケーブル５を介してイヤホン部６が接続されており、詳細を後述するようにこのイヤホン部５を直接装着することによって相手方の音声を聞くことが可能である。ハンズフリー装置１は、装置本体３に、マイクロプロセッサ（ＭＰＵ：Micro Processor Unit）７や、エコーキャンセル回路部８或いはコーディック回路部（デジタル／アナログ変換器）９等が備えられる。
【００１５】
ハンズフリー装置１は、装置本体２が、電源アダプタ１０を介してコンソールパネルに設けられたシガーライタソケットと接続されて車載バッテリからの電源供給を受ける。ハンズフリー装置１は、例えば据置き型としてある程度の大きさを有して構成する場合に、充電可能な二次電池を内蔵するとともに商用電源と接続して用いるいわゆる３電源型として構成するようにしてもよい。ハンズフリー装置１は、先端部に図示しないシガーライタプラグが設けられた電源アダプタ１０を介して車載バッテリから供給を受けた直流電圧をレギュレター１１によって所定電圧に変換し、ＭＰＵ７や各部に対して供給する。
【００１６】
ハンズフリー装置１には、装置本体２に図示を省略するが赤外線無線方式による制御信号受信部が設けられ、リモートコントローラ１２から送信された制御信号を受信して所定の制御動作が行われる。ハンズフリー装置１には、装置本体２に、コーディック回路部９に接続された内蔵マイクロホン１３が設けられるとともに、コーディック回路部９に切換スイッチ１４とアンプ１５とを介して接続された内蔵スピーカ１６が設けられている。
【００１７】
なお、ハンズフリー装置１は、内蔵マイクロホン１３を装置本体２に直接内蔵するばかりでなく、イヤホン部６と同様に装置本体２とケーブルを介して接続するようにしてもよい。内蔵マイクロホン１３は、運転の邪魔にならないように例えばサンバイザー等に掛け合わせて運転者の口元により近い場所に設置される。
【００１８】
なお、ハンズフリー装置１は、図示しないが装置本体２に液晶表示器が設けられ、この液晶表示器によって非通話時にはカレンダーや時刻の表示を行うとともに、携帯電話機４に着信があった場合に相手方の電話番号や登録名が表示されるようにし、また通話時には通話時間が表示されるようにする。また、ハンズフリー装置１は、発光素子による表示部を設け、携帯電話機４に着信があった場合に発光素子が点滅して光学的な着信表示が行われるように構成してもよい。
【００１９】
ＭＰＵ７は、詳細を省略するが、携帯電話機４と音声信号等の授受を行う中継回路部や全体の制御動作を行う制御回路部等の機能を有している。ＭＰＵ７は、例えばリモートコントローラ１２から送信された制御信号に基づいて各部に対して所定の制御信号を出力する。ＭＰＵ７は、例えば通話が終了して相手方がオフフック操作を行った場合に携帯電話機４側から送出される制御信号に基づいて各部に対してリセット信号を出力する機能を有する。
【００２０】
エコーキャンセル回路部８は、ＭＰＵ７とコーディック回路部９との間に設けられ、例えば参照信号をエコーキャンセルフィルタに通すことにより疑似エコー信号を生成する。エコーキャンセル回路部８は、この疑似エコー信号によってエコー信号を減算することによりエコーを消去する。エコーキャンセル回路部８は、内蔵スピーカ１６から放音される相手方の音声を内蔵マイクロホン１３が拾って相手方に返してしまうエコー現象を低減して良好なハンズフリー通話が行われるようにする。
【００２１】
コーディック回路部９は、携帯電話機４側から供給されＭＰＵ７を介して入力されたデジタル音声信号をアナログ音声信号に変換する。アナログ音声信号は、切換スイッチ１４を介してアンプ１５に供給され、内蔵スピーカ１６から音声出力される。また、コーディック回路部９は、内蔵マイクロホン１３で集音したアナログ音声信号をデジタル音声信号に変換してＭＰＵ７を介して携帯電話機４へと出力する。
【００２２】
ハンズフリー装置１は、イヤホン部６が切換スイッチ１４を介してコーディック回路部９と接続される。イヤホン部６は、詳細を省略するが、使用者の耳孔に直接装着することが可能な程度の大きさで構成されており、内部にアンプ１７とイヤホン１８とが内蔵されている。なお、ハンズフリー装置１は、アンプ１７を装置本体２側に設けるようにしてもよいことは勿論である。また、ハンズフリー装置１は、イヤホン部６を、例えば使用者の耳殻に装着するいわゆる耳掛け型或いは頭部に装着するヘッドセット型として構成してもよい。また、ハンズフリー装置１は、イヤホン部６にブルートゥース無線チップを内蔵して、装置本体２と無線によって接続するようにしてもよい。
【００２３】
ハンズフリー装置１は、イヤホン部６をヘッドセット型として構成した場合に、マイクロホンを内蔵するようにしてもよい。ハンズフリー装置１は、この場合に切換スイッチ１４によってイヤホン部６のマイクロホンと内蔵マイクロホン１３との切換がスピーカの切換と同時に行われる。
【００２４】
ハンズフリー装置１は、切換スイッチ１４によってコーディック回路部９から出力される音声信号の供給経路を内蔵スピーカ１６側とイヤホン部６側とのいずれか一方に切り換えるようにする。切換スイッチ１４は、装置本体２に設けられて運転者により操作ボタンが手動操作される適宜の機械スイッチによって構成するが、例えば上述したリモートコントローラ１２を介して切り換えが行われるスイッチであってもよい。ハンズフリー装置１は、リモートコントローラ１２から出力される制御信号によってＭＰＵ７から切換スイッチ１４の動作に応じた切換制御が行われるようにする。
【００２５】
ハンズフリー装置１は、切換スイッチ１４が内蔵スピーカ１６側に設定する操作を行われることによって、内蔵スピーカ１６からのみ携帯電話機４を介して送信された相手方の音声が出力されるようにする。したがって、ハンズフリー装置１は、運転者等がイヤホン部６を常に装着していなくとも、着信時に内蔵スピーカ１６から着信音が出力されるとともに応答操作によって相手方の音声が出力されてハンズフリー通話が可能となる。ハンズフリー装置１においては、運転者に対してイヤホン部６を装着している煩わしさやケーブル５が邪魔にならずに運転を行うことを可能とする。
【００２６】
ハンズフリー装置１は、切換スイッチ１４がイヤホン部６側に設定する操作を行われることによって、イヤホン部６に内蔵したイヤホン１８からのみ携帯電話機４を介して送信された相手方の音声が出力されるようにする。ハンズフリー装置１によれば、例えば外部騒音が大きな場合やエコー現象により通話がしづらい場合等において、良好な状態でハンズフリー通話を行うことが可能となる。
【００２７】
ハンズフリー装置１においては、上述したように切換スイッチ１４の切換操作を行うことによって、内蔵スピーカ１６とイヤホン１８との音声出力の選択が可能である。ハンズフリー装置１においては、例えば内蔵スピーカ１６側に設定した状態で運転を行い、着信があった場合にそのまま応答操作とハンズフリー通話を行い、必要に応じて相手方にことわってイヤホン部６を装着した後に切換スイッチ１４を操作してイヤホン１８によるハンズフリー通話を行うことが可能となる。
【００２８】
第２の実施の形態として図２に示したハンズフリー装置２０は、イヤホン部２１にも第２の切換スイッチ２２を設けることによって運転者が手元で上述した音声信号の供給経路を切り換える操作を行うことを可能とした構成に特徴を有している。なお、ハンズフリー装置２０は、基本的な構成を上述したハンズフリー装置１と同様とすることから、対応する部位に同一符号を付すことによって説明を省略する。
【００２９】
すなわち、ハンズフリー装置２０は、イヤホン部２１も使用者の耳孔に直接装着することが可能な程度の大きさで構成されており、装置本体２側に設けたアンプ１７によってイヤホン２３が駆動されて音声を出力する。ハンズフリー装置２０は、イヤホン部２１に、装置本体２側の切換スイッチ１４と連動する第２の切換スイッチ２２が設けられる。ハンズフリー装置２０は、切換スイッチ１４と第２の切換スイッチ２２のいずれか一方を操作することによって、音声信号の供給経路を内蔵スピーカ１６側とイヤホン部２１側とのいずれか一方に切り換えるようにする。なお、ハンズフリー装置２０は、アンプ１７をイヤホン部２１側に設けるようにしてもよい。
【００３０】
したがって、ハンズフリー装置２０は、装置本体２が例えば車内のコンソールボックスやダッシュボード等の適宜の場所に設置されるが、イヤホン部２１を装着した状態のままでもいわゆる手元スイッチを構成する第２切換スイッチ２２によって装置本体２まで手を伸ばすことなく音声信号の供給経路を切り換える操作を行うことが可能となる。ハンズフリー装置２０においては、使用状況に応じて相手方にその都度ことわりを述べることなく内蔵スピーカ１６とイヤホン２３との切り換えを簡単に行うことが可能となり、使い勝手の向上が図られるようになる。
【００３１】
なお、本発明は、上述した実施の形態に示すハンズフリー装置１に限定されず、発明の技術的範囲において種々改変が可能であり、この発明がこれらの改変されたものにも及ぶことは勿論である。
【図面の簡単な説明】
【００３２】
【図１】実施の形態として示すハンズフリー装置の要部構成図である。
【図２】第２の実施の形態として示すハンズフリー装置の要部構成図である。
【符号の説明】
【００３３】
１        ハンズフリー装置
２        装置本体
３        ホルダ部
４        携帯電話機
５        ケーブル
６        イヤホン部
７        ＭＰＵ
８        エコーキャンセル回路部
９        コーディック部
１０      電源アダプタ
１１      レギュレター
１２      リモートコントローラ
１３      内蔵マイクロホン
１４      切換スイッチ
１５      アンプ
１６      内蔵スピーカ
１７      アンプ
１８      イヤホン
２０      ハンズフリー装置
２１      イヤホン部
２２      第２切換スイッチ
２３      イヤホン
【図１】
2007104123.tif 000003
【図２】
2007104123.tif 000004